(57)【要約】【課題】便鉢部の形状を複雑にすることなく、高さを低く抑えることができる局部洗浄装置付き便器を提供する。【解決手段】局部洗浄装置付き便器は、便鉢部１１を有する便器本体１０、洗浄水を噴出する噴出口を有したノズル部４１と、このノズル部４１を進退自在に保持した本体部４２とを有した洗浄ノズル４０、便鉢部１１の近傍に配置し、本体部４２から進出したノズル部４１が進出するように洗浄ノズル４０を収納したケーシング６０、及び、収納したノズル部４１が略水平に位置する第１状態と、収納したノズル部４１が先端側を斜め下方に傾斜して位置し、ケーシング６０から進出した際に便鉢部１１の上端部１２の内側から斜め下方に傾斜して進出し、局部洗浄を実行することができる第２状態とに変位するようにケーシング６０を移動することができる移動装置７０を備えている。【選択図】図１
2014163153.tif 000002
【特許請求の範囲】
【請求項１】
便鉢部を有する便器本体、
洗浄水を噴出する噴出口を有したノズル部と、このノズル部を進退自在に保持した本体部とを有した洗浄ノズル、
前記便鉢部の近傍に配置し、前記本体部から進出した前記ノズル部が進出するように前記洗浄ノズルを収納したケーシング、
及び、収納した前記ノズル部が略水平に位置する第１状態と、収納した前記ノズル部が先端側を斜め下方に傾斜して位置し、前記ケーシングから進出した際に前記便鉢部の上端部の内側から斜め下方に傾斜して進出し、局部洗浄を実行することができる第２状態とに変位するように前記ケーシングを移動することができる移動装置
を備えていることを特徴とする局部洗浄装置付き便器。
【請求項２】
前記便器本体に回動自在に取り付けた便座を備えており、
前記ノズル部が前記第１状態に位置した際の前記ケーシングは、上面が前記便座の上面と略面一であることを特徴とする請求項１記載の局部洗浄装置付き便器。
【請求項３】
前記便器本体に倒伏状態と起立状態との間を回動自在に取り付けた便蓋を備えており、
前記移動装置は、前記便蓋が前記倒伏状態から前記起立状態に回動する際、前記ノズル部が前記第１状態から前記第２状態に変位するように前記ケーシングを移動し、前記便蓋が前記起立状態から前記倒伏状態に回動する際、前記ノズル部が前記第２状態から前記第１状態に変位するように前記ケーシングを移動することを特徴とする請求項１又は２記載の局部洗浄装置付き便器。
【請求項４】
前記移動装置は、前記ノズル部が前記第２状態よりも急角度に傾斜した第３状態に位置するように前記ケーシングを移動することができる請求項１乃至３のいずれか１項記載の局部洗浄装置付き便器。
【請求項５】
前記ノズル部が前記第２状態において、前記移動装置が前記ケーシングを移動して前記ノズル部の傾斜角度を変更することができることを特徴とする請求項１乃至４のいずれか１項記載の局部洗浄装置付き便器。
【請求項６】
前記ノズル部が前記第２状態において、前記洗浄ノズルは前記本体部から進出する前記ノズル部の進出長さを変更することができることを特徴とする請求項１乃至５のいずれか１項記載の局部洗浄装置付き便器。
【請求項７】
前記ノズル部が前記第１状態において、前記洗浄ノズルは前記ケーシングから前記ノズル部を略水平方向に進出させ、平面視において、前記ノズル部を前記便鉢部内に配置することができることを特徴とする請求項１乃至６のいずれか１項記載の局部洗浄装置付き便器。
【発明の詳細な説明】
【技術分野】
【０００１】
本発明は局部洗浄装置付き便器に関する。
【背景技術】
【０００２】
特許文献１は従来の局部洗浄装置付き便器を開示している。この局部洗浄装置付き便器は、便器本体、洗浄ノズル、ケーシング、及び便座を備えている。便器本体は便鉢部を有している。この便鉢部は上端部の後部中央に下方に凹んだ切欠き部を設けている。洗浄ノズルは、洗浄水を噴出する噴出口を有してまっすぐに伸びたノズル部と、このノズル部を進退自在に保持するシリンダー部とを有している。ノズル部をシリンダー部に収納した状態の洗浄ノズルは先端側を斜め下方に傾斜した状態で切欠き部から後方に連続して形成した凹部内に配置されている。ケーシングは、洗浄ノズル等を収納し、便器本体の上部後側に設けられている。便座はケーシングに対して回動自在に取り付けられている。
【０００３】
この局部洗浄装置付き便器は、便器本体の凹部に洗浄ノズルを配置したため、洗浄ノズルを傾斜した状態で配置することができ、便鉢部の上面に対してケーシングの高さを低く抑えることができる。このため、便座に着座した使用者の臀部がケーシングに接触し難くなり、便座への座り心地を良好にすることができる。
【先行技術文献】
【特許文献】
【０００４】
【特許文献１】特開２００９−２０９５３２号公報
【発明の概要】
【発明が解決しようとする課題】
【０００５】
しかし、特許文献１の局部洗浄装置付き便器は、便鉢部の上端部の後部中央に下方に凹んだ切欠き部を設けているため、便器洗浄を実行した際、切欠き部から凹部内に流入した洗浄水がケーシング内に進入するおそれがある。また、この局部洗浄装置付き便器は、切欠き部があることによって、便器洗浄の際に便鉢部の表面を流れる洗浄水の流れが乱れて、便鉢部の表面の洗浄が良好に行えないおそれがある。さらに、この局部洗浄装置付き便器は、切欠き部を形成することによって形状が複雑になるため、便器本体を陶器製にした場合、歩留まりが悪くなるおそれがある。
【０００６】
本発明は、上記従来の実情に鑑みてなされたものであって、便鉢部の形状を複雑にすることなく、高さを低く抑えることができる局部洗浄装置付き便器を提供することを解決すべき課題としている。
【課題を解決するための手段】
【０００７】
本発明の局部洗浄装置付き便器は、
便鉢部を有する便器本体、
洗浄水を噴出する噴出口を有したノズル部と、このノズル部を進退自在に保持した本体部とを有した洗浄ノズル、
前記便鉢部の近傍に配置し、前記本体部から進出した前記ノズル部が進出するように前記洗浄ノズルを収納したケーシング、
及び、収納した前記ノズル部が略水平に位置する第１状態と、収納した前記ノズル部が先端側を斜め下方に傾斜して位置し、前記ケーシングから進出した際に前記便鉢部の上端部の内側から斜め下方に傾斜して進出し、局部洗浄を実行することができる第２状態とに変位するように前記ケーシングを移動することができる移動装置
を備えていることを特徴とする。
【０００８】
この局部洗浄装置付き便器は、移動装置がケーシングを移動させることによって、洗浄ノズルのノズル部が第１状態と第２状態とに変位する。第１状態のノズル部は略水平に位置しているため、この状態のノズル部を収納したケーシングは、傾斜した状態のノズル部を収納したものに比べ、ケーシングの高さを低く抑えることができる。一方、この局部洗浄装置付き便器は、ケーシングの高さを低く抑えたことによって、ケーシングに対してノズル部を傾斜状態に配置することができない。このため、この局部洗浄装置付き便器は、ノズル部が先端側を斜め下方に傾斜して位置し、ケーシングから進出した際に便鉢部の上端部の内側から斜め下方に傾斜して進出することができるようにケーシングを移動する。このように、ケーシングを移動することによって、この局部洗浄装置付き便器は、局部洗浄を実行することができる。また、この局部洗浄装置付き便器は、ケーシングが移動することによって、便鉢部の上端部の内側からノズル部が斜め下方に傾斜して進出するようにしたため、ノズル部が便鉢部内に進出するために便鉢部の形状を変更する必要がない。
【０００９】
したがって、本発明の局部洗浄装置付き便器は、便鉢部の形状を複雑にすることなく、高さを低く抑えることができる。
【図面の簡単な説明】
【００１０】
【図１】実施例の局部洗浄装置付き便器であって、便蓋が起立状態、便座が倒伏状態、ケーシングが第１上昇位置に回動した状態を示す斜視図である。
【図２】実施例の各部洗浄装置付き便器であって、ケーシングが第１上昇位置で局部洗浄ノズルのノズル部がケーシングから進出した状態を示す断面図である。
【図３】実施例の局部洗浄装置付き便器であって、便蓋及び便座を省略し、ケーシングが第１上昇位置で局部洗浄ノズルのノズル部がケーシングから進出した状態を示す斜視図である。
【図４】実施例の局部洗浄装置付き便器であって、便蓋及び便座が倒伏状態、ケーシングが下降位置にある状態を示す断面図である。
【図５】実施例の局部洗浄装置付き便器であって、ケーシングが第１上昇位置において設定範囲で回動し、洗浄ノズルのノズル部の傾斜角度が変更する状態を示す断面図である。
【図６】実施例の局部洗浄装置付き便器であって、ケーシングが第１上昇位置において設定範囲で回動し、洗浄ノズルのノズル部の傾斜角度が変更し、かつ洗浄ノズルの本体部から進出するノズル部の進出長さが変更する状態を示す断面図である。
【図７】実施例の局部洗浄装置付き便器であって、便蓋及び便座が起立状態、ケーシングが第２上昇位置に回動した状態を示す断面図である。
【図８】実施例の局部洗浄装置付き便器であって、便蓋及び便座が起立状態、ケーシングが下降位置で洗浄ノズルのノズル部がケーシングから進出した状態を示す断面図である。
【図９】実施例の局部洗浄装置付き便器であって、ケーシングが第１上昇位置において設定範囲で回動し、乾燥ノズルのノズル部の傾斜角度が変更する状態を示す断面図である。
【発明を実施するための形態】
【００１１】
本発明における好ましい実施の形態を説明する。
【００１２】
本発明の局部洗浄装置付き便器は、前記便器本体に回動自在に取り付けた便座を備えており、前記ノズル部が前記第１状態に位置した際の前記ケーシングは、上面が前記便座の上面と略面一であり得る。この場合、局部洗浄装置付き便器は、上面部が平板状である便蓋によって便座及びケーシングの上面を覆った際、便蓋の上面を略水平な状態にすることができ、すっきりとした形状にすることができる。
【００１３】
前記便器本体に倒伏状態と起立状態との間を回動自在に取り付けた便蓋を備えており、前記移動装置は、前記便蓋が前記倒伏状態から前記起立状態に回動する際、前記ノズル部が前記第１状態から前記第２状態に変位するように前記ケーシングを移動し、前記便蓋が前記起立状態から前記倒伏状態に回動する際、前記ノズル部が前記第２状態から前記第１状態に変位するように前記ケーシングを移動し得る。この場合、便蓋が倒伏状態から起立状態に回動する際、ケーシングが移動してノズル部が第１状態から第２状態に変位する。第２状態に位置したノズル部がケーシングから進出すると局部洗浄を実行することができる。つまり、この局部洗浄装置付き便器は、便蓋が倒伏状態から起立状態に回動すれば、局部洗浄の待機状態にすることができる。また、便蓋が起立状態から倒伏状態に回動する際、ノズル部が第２状態から第１状態に変位するようにケーシングが移動するため、便座及びケーシングを覆うように便蓋を倒伏状態に良好に回動することができる。
【００１４】
前記移動装置は、前記ノズル部が前記第２状態よりも急角度に傾斜した第３状態に位置するように前記ケーシングを移動し得る。この場合、この局部洗浄装置付き便器は、ノズル部が第３状態に位置するようにケーシングを移動することによってケーシング内に侵入した汚水を便鉢部内へ排出することができる。
【００１５】
前記ノズル部が前記第２状態において、前記移動装置が前記ケーシングを移動して前記ノズル部の傾斜角度を変更し得る。この場合、この局部洗浄装置付き便器は、ケーシングを移動し、ノズル部の傾斜角度を変更することによって、局部洗浄の洗浄位置を変更することができる。また、この局部洗浄装置付き便器は、ケーシングを移動し、ノズル部の傾斜角度を変更することによって、局部に当たる洗浄水の角度が変わるため洗浄感を変更することができる。
【００１６】
前記ノズル部が前記第２状態において、前記洗浄ノズルは前記本体部から進出する前記ノズル部の進出長さを変更し得る。この場合、この局部洗浄装置付き便器は、便器本体から進出するノズル部の進出長さを変更して、局部洗浄の洗浄位置を変更することができる。また、この局部洗浄装置付き便器は、ケーシングを移動してノズル部の傾斜角度を変更するとともに、本体部から進出するノズル部の進出長さを変更することによって、局部洗浄の洗浄位置を変更せずに局部に当たる洗浄水の角度を変更することができるため、洗浄感を変更することができる。
【００１７】
前記ノズル部が前記第１状態において、前記洗浄ノズルは前記ケーシングから前記ノズル部を略水平方向に進出させ、平面視において、前記ノズル部を前記便鉢部内に配置し得る。この場合、この局部洗浄装置付き便器は、ノズル部をケーシングから略水平方向に進出させ、平面視において、便鉢部内に配置した状態で、ノズル部を容易に洗浄することができる。ここで、平面視とは本発明の局部洗浄装置付き便器を真上から見ることを言う（以下、同じ）。
【００１８】
次に、本発明の局部洗浄装置付き便器を具体化した実施例について、図面を参照しつつ説明する。
【００１９】
＜実施例＞
実施例の局部洗浄装置付き便器は、図１〜図４に示すように、便器本体１０、便座２０、便蓋３０、２本の洗浄ノズル４０、乾燥ノズル５０、ケーシング６０、及び移動装置７０を備えている。便器本体１０は、図２に示すように、便鉢部１１を有している。便鉢部１１は上端部が略楕円形状に開口した椀形状である。便鉢部１１は上端部１２が略同一水平面上に位置している。便器本体１０は便鉢部１１の下部に連続して形成した便器排水路１３を有している。便器排水路１３は、図示しない床面に固定する排水接続管８０の上流端部に下流端部を連結している。排水接続管８０は床面に引き出される図示しない排水管の上流端部に下流端部を連結する。
【００２０】
便器本体１０は、図１〜図４に示すように、便鉢部１１の上端部１２から外周方向に拡がった周縁部１２Ａの前端から左右方向に伸びた外周縁に連続して下方に伸びた周壁部１４を有している。この周壁部１４は、便鉢部１１、便器排水路１３、及び排水接続管８０を囲ように形成されており、便器本体１０の前端から湾曲しながら左右方向に延びた前部１４Ｆと、この前部１４Ｆの左右後端の夫々に連続して略平行に後方に延びた一対の左右部１４Ｓと、これら左右部１４Ｓの各後端を連結する後端部１４Ｒとから構成されている。
【００２１】
便器本体１０は、図２及び図４に示すように、便鉢部１１の後方（図２における右側）を凹設した凹部１５を有している。この凹部１５は上方及び後方が開口している。この凹部１５は前方壁１５Ｆを便鉢部１１の後側によって形成している。また、この凹部１５は左右壁１５Ｓを周壁部１４の左右部１４Ｓによって形成している。また、この凹部１５は底壁１５Ｂを便器排水路１３の上方に水平方向へ広がるように形成している。つまり、底壁１５Ｂは、便鉢部１１の後側の上下方向の中間部と、周壁部１４の左右部１４Ｓの上下方向の中間部と、周壁部１４の後端部１４Ｒの上端縁とに連続している。この凹部１５は後述する下降位置にあるケーシング６０の下部が嵌り込む。
【００２２】
便座２０は、図１に示すように、用便者が着座する着座部２１と、着座部２１の左右後端の夫々から後方に延びた一対の腕部２２とを有している。便座２０は着座部２１の上面及び各腕部２２の上面が連続して平坦に形成されている。便座２０は便器本体１０の左右後部に配置した一対の便座用軸部２３（図３参照）に各腕部２２の後端部を取り付けている。便座２０は、便器本体１０の上面に載置した倒伏状態と、便器本体１０の上面に対して起立した起立状態との間を便座用軸部２３を中心にして回動自在である。また、一方の便座用軸部２３は便座２０を回動するための便座用モーター２４の軸部が連結している（図３参照）。このため、局部洗浄装置付き便器は、便座用モーター２４を駆動することによって、便座２０が倒伏状態と起立状態との間を便座用軸部２３を中心にして回動することができる。
【００２３】
便蓋３０は、長方形状の一方の短辺側が円弧状に湾曲し、便器本体１０の平面形状よりも僅かに大きい平板状に形成した上面部３１と、上面部３１の円弧状に湾曲した縁部及び対向する長辺部から下方に延びた帯状の垂下片部３２とを有している。便蓋３０は、便器本体１０の左右後部であって便座用軸部２３より後方に配置された便蓋用軸部３３（図３参照）に垂下片部３２の左右後端部を取り付けている。便蓋３０は、便座２０及びケーシング６０を覆うように便座２０上に載置した倒伏状態と、便器本体１０の上面に対して起立した起立状態との間を便蓋用軸部３３を中心にして回動自在である。また、一方の便蓋用軸部３３は便蓋３０を回動するための便蓋用モーター３４の軸部が連結している（図３参照）。このため、局部洗浄装置付き便器は、便蓋用モーター３４を駆動することによって、便蓋３０が倒伏状態と起立状態との間を便蓋用軸部３３を中心にして回動することができる。
【００２４】
２本の洗浄ノズル４０は、図１〜図４に示すように、夫々おしり用洗浄ノズルと、ビデ用洗浄ノズルである。各洗浄ノズル４０は、まっすぐに延びたノズル部４１と、ノズル部４１を前端の開口部から進退自在に保持した円筒状の本体部４２とを有している。各ノズル部４１は側面に洗浄水を噴出する噴出口を有している。乾燥ノズル５０は、上面に送風口を有するノズル部５１と、ノズル部５１を前端の開口部から進退自在に保持した箱型の本体部５２とを有している。
【００２５】
ケーシング６０は、図４に示すように、下降位置において、下部が凹部１５に嵌り込み、倒伏状態の便座２０の着座部２１の後方であって一対の腕部２２の間に配置され、倒伏状態の便座２０の上面と上面が水平方向で略面一に拡がった矩形状の上面部６１を有している。また、ケーシング６０は、左右方向の全幅に亘って前方へ突出した突出部６２を有している。この突出部６２は、ケーシング６０の上面部６１の前縁に連続して前方下方に傾斜した傾斜上面部６２Ａと、傾斜上面部６２Ａの前縁に連続して後方下方に傾斜した傾斜下面部６２Ｂと、傾斜下面部６２Ｂの下端縁に連続して水平後方に延びた前側下面部６２Ｃとから形成されている。傾斜上面部６２Ａは、傾斜角度が急な傾斜、緩やかな傾斜、及び急な傾斜と変化している。突出部６２は、傾斜上面部６２Ａと傾斜下面部６２Ｂとの境界部であって、左右中央部に各洗浄ノズル４０のノズル部４１及び乾燥ノズル５０のノズル部５１が進出する開口６２Ｄを形成している。
【００２６】
また、ケーシング６０は、突出部６２の前側下面部６２Ｃの後端縁に連続して鉛直下方に延びた前側垂下面部６３Ａと、前側垂下面部６３Ａの下端に連続して後方下方に傾斜した前側傾斜面部６３Ｂと、前側傾斜面部６３Ｂの下端に連続して水平後方に延びた前側下面部６３Ｃとを有している。また、ケーシング６０は、上面部６１の後縁に連続して鉛直下方に延びた後側垂下面部６４Ａと、後側垂下面部６４Ａの下端に連続して前方下方に傾斜した後側傾斜面部６４Ｂと、後側傾斜面部６４Ｂの下端に連続して水平前方に延び、前側下面部６３Ｃに重なった後側下面部６４Ｃとを有している。さらに、ケーシング６０は、上面部６１、突出部６２、前側垂下面部６３Ａ、前側傾斜面部６３Ｂ、前側下面部６３Ｃ、後側垂下面部６４Ａ、後側傾斜面部６４Ｂ、及び後側下面部６４Ｃによって形成された左右の開口を閉鎖する左右側面部を有している。
【００２７】
ケーシング６０は、内部に２本の洗浄ノズル４０、乾燥ノズル５０等の局部洗浄装置を構成する機能部品を収納している。ケーシング６０は各洗浄ノズル４０をケーシング６０の上面部６１の下方近傍に上面部６１に対して略平行に配置している。また、ケーシング６０は乾燥ノズル５０もケーシング６０の上面部６１の下方近傍に上面部６１に対して略平行に配置している（図９参照）。このため、この局部洗浄装置付き便器は、ケーシング６０が下降位置に位置する状態で、略水平状態に位置する第１状態に配置した各洗浄ノズル４０のノズル部４１が、便鉢部１１の上端部１２よりも高い位置であっても、便器本体１０の上面に対してケーシング６０の上面部６１の高さを低く抑えることができる。つまり、この局部洗浄装置付き便器はケーシング６０の高さを低く抑えることができる。また、この局部洗浄装置付き便器は、この状態で、ケーシング６０の上面部６１の上面が便座２０の上面と略面一になるため、便蓋３０が便座２０及びケーシング６０を覆うように倒伏状態に位置した際、便蓋３０の上面を略水平な状態にすることができ、すっきりとした形状にすることができる。
【００２８】
ケーシング６０は、図１及び図３に示すように、左右側面の夫々の前部に一対の軸部６５を有している。一方の軸部６５はケーシング用モーター６６の軸部に駆動ベルト６７を介して連結している。このため、局部洗浄装置付き便器は、ケーシング用モーター６６を駆動することによって、ケーシング６０を軸部６５を中心にして、下降位置と上昇位置との間を回動することができる。
【００２９】
ここで、ケーシング６０の上昇位置は第１上昇位置と第２上昇位置とがある。この局部洗浄装置付き便器は、図１〜図３に示すように、ケーシング６０が第１上昇位置に位置すると、ケーシング６０に収納した各洗浄ノズル４０のノズル部４１が第２状態になる。つまり、この局部洗浄装置付き便器は、ケーシング用モーター６６が駆動して、ケーシング６０が軸部６５を中心に回動し、第１上昇位置に位置すると、各洗浄ノズル４０のノズル部４１が先端側を斜め下方に傾斜して位置し、ケーシング６０から進出した際に便鉢部１１の上端部１２の内側から斜め下方に傾斜して進出し、局部洗浄を実行することができる第２状態に位置する。このように、各洗浄ノズル４０のノズル部４１が第１状態と第２状態とに変位するようにケーシング６０を回動する移動装置７０は、ケーシング用モーター６６、駆動ベルト６７、及びケーシング６０の軸部６５によって構成されている。
【００３０】
また、この局部洗浄装置付き便器は、図７に示すように、便座２０及び便蓋３０が起立状態で、ケーシング６０が第２上昇位置に位置すると、ケーシング６０に収納した各洗浄ノズル４０のノズル部４１が第３状態になる。つまり、この局部洗浄装置付き便器は、ケーシング用モーター６６が駆動して、ケーシング６０が軸部６５を中心に回動し、第２上昇位置に位置すると、各洗浄ノズル４０のノズル部４１が第２状態よりも急角度に傾斜した第３状態に位置する。このように、この局部洗浄装置付き便器は、各洗浄ノズル４０のノズル部４１が第３状態に位置するようにケーシング６０を第２上昇位置に軸部６５を中心に回動することによって、ケーシング６０内に侵入した汚水をケーシング６０の突出部６２に設けた開口６２Ｄから便鉢部１１内へ排出することができる。
【００３１】
この局部洗浄装置付き便器は便座２０及び便蓋３０が倒伏状態に位置しているか起立状態に位置しているかを検知することができる図示しない検知装置を有している。また、この局部洗浄装置付き便器は、便座用モーター２４、便蓋用モーター３４、及びケーシング用モーター６６の駆動を制御する図示しない制御装置を有している。
【００３２】
このような構成を有する局部洗浄装置付き便器は、図１に示すように、便蓋用モーター３４が駆動することによって、又は用便者が手動によって、便蓋３０を倒伏状態から起立状態に便蓋用軸部３３を中心にして回動することを検知装置が検知すると、制御装置がケーシング用モーター６６を駆動し、ケーシング６０が下降位置から第１上昇位置に軸部６５を中心にして回動する。つまり、この局部洗浄装置付き便器は、各洗浄ノズル４０のノズル部４１が第１状態から第２状態に変位する。
【００３３】
また、この局部洗浄装置付き便器は、便蓋用モーター３４が駆動することによって、又は用便者が手動によって、便蓋３０を起立状態から倒伏状態に便蓋用軸部３３を中心にして回動することを検知装置が検知すると、制御装置がケーシング用モーター６６を駆動し、ケーシング６０が第１上昇位置から下降位置に軸部６５を中心にして回動する。つまり、この局部洗浄装置付き便器は各洗浄ノズル４０のノズル部４１が第２状態から第１状態に変位する。
【００３４】
このように、この局部洗浄装置付き便器は、便蓋３０が倒伏状態から起立状態に便蓋用軸部３３を中心にして回動する際、ケーシング６０が軸部６５を中心にして回動して各洗浄ノズル４０のノズル部４１が第１状態から第２状態に変位する。第２状態に位置した各洗浄ノズル４０のノズル部４１がケーシング６０から進出すると局部洗浄を実行することができる。つまり、この局部洗浄装置付き便器は、便蓋３０が倒伏状態から起立状態に便蓋用軸部３３を中心にして回動すれば、局部洗浄の待機状態にすることができる。
【００３５】
また、便蓋３０が起立状態から倒伏状態に便蓋用軸部３３を中心にして回動する際、各洗浄ノズル４０のノズル部４１が第２状態から第１状態に変位するようにケーシング６０が第１上昇位置から下降位置に軸部６５を中心にして回動し、便器本体１０の後方に凹設した凹部１５にケーシング６０の下部が嵌り込み、ケーシング６０の上面部の上面が便座２０の上面と略面一になるため、便座２０及びケーシング６０を覆うように便蓋３０を倒伏状態に便蓋用軸部３３を中心にして良好に回動することができる。
【００３６】
この局部洗浄装置付き便器は、移動装置７０がケーシング６０を軸部６５を中心にして回動させることによって、洗浄ノズル４０のノズル部４１が第１状態と第２状態とに変位する。第１状態のノズル部４１は略水平に位置している（先端側に向けて僅かに（約５度）下方に傾斜している）ため、この状態のノズル部４１を収納したケーシング６０は、傾斜した状態のノズル部を収納したものに比べ、ケーシング６０の高さを低く抑えることができる。一方、この局部洗浄装置付き便器は、ケーシング６０の高さを低く抑えたことによって、ケーシング６０に対してノズル部４１を傾斜状態に配置することができない。このため、この局部洗浄装置付き便器は、ノズル部４１が先端側を斜め下方に傾斜して位置し、ケーシング６０から進出した際に便鉢部１１の上端部１２の内側から斜め下方に傾斜して進出することができるようにケーシング６０を軸部６５を中心にして回動する。このように、ケーシング６０を移動することによって、この局部洗浄装置付き便器は、局部洗浄を実行することができる。また、この局部洗浄装置付き便器は、ケーシング６０が軸部６５を中心にして回動することによって、便鉢部１１の上端部１２の内側からノズル部４１が斜め下方に傾斜して進出するようにしたため、ノズル部４１が便鉢部１１内に進出するために便鉢部１１の形状を変更する必要がない。
【００３７】
したがって、実施例の局部洗浄装置付き便器は、便鉢部１１の形状を複雑にすることなく、高さを低く抑えることができる。
【００３８】
また、この局部洗浄装置付き便器は、図５に示すように、ケーシング６０が第１上昇位置において、移動装置７０がケーシング６０を設定範囲内で軸部６５を中心にして回動させることができる。つまり、この局部洗浄装置付き便器は、各洗浄ノズル４０のノズル部４１が第２状態において、移動装置７０がケーシング６０を軸部６５を中心にして回動して洗浄ノズル４０のノズル部４１の傾斜角度を変更することができる。このように、この局部洗浄装置付き便器は、ケーシング６０を設定範囲内で軸部６５を中心にして回動し、洗浄ノズル４０のノズル部４１の傾斜角度を変更することによって、局部洗浄の洗浄位置を変更することができる。また、この局部洗浄装置付き便器は、ケーシング６０を軸部６５を中心にして回動し、ノズル部４１の傾斜角度を変更することによって、局部に当たる洗浄水の角度が変わるため洗浄感を変更することができる。
【００３９】
また、この局部洗浄装置付き便器は、ケーシング６０が第１上昇位置において、移動装置７０がケーシング６０を設定範囲内で軸部６５を中心にして回動させることができるため、図９に示すように、乾燥ノズル５０のノズル部５１の傾斜角度を変更することができる。このように、この局部洗浄装置付き便器は、ケーシング６０が第１上昇位置において設定範囲内で軸部６５を中心にして回動し、乾燥ノズル５０のノズル部５１の傾斜角度を変更することができ、温風が当たる位置を変更することができる。
【００４０】
また、この局部洗浄装置付き便器は、図６に示すように、ケーシング６０が第１上昇位置において、移動装置７０がケーシング６０を設定範囲内で軸部６５を中心にして回動させ、かつ各洗浄ノズル４０の本体部４２から進出するノズル部４１の進出長さを変更することができる。このように、この局部洗浄装置付き便器は、ケーシング６０が第１上昇位置において設定範囲内で軸部６５を中心にして回動して各洗浄ノズル４０のノズル部４１の傾斜角度を変更するとともに、各洗浄ノズル４０の本体部４２から進出するノズル部４１の進出長さを変更することによって、局部洗浄の洗浄位置を変更せずに局部に当たる洗浄水の角度を変更することができるため、洗浄感を変更することができる。また、この局部洗浄装置付き便器は、ケーシング６０を第１上昇位置で固定し、各洗浄ノズル４０の本体部４２から進出するノズル部４１の進出長さのみを変更することもできる。この場合、この局部洗浄装置付き便器は、ケーシング６０から進出する各洗浄ノズル４０のノズル部４１の進出長さを変更して、局部洗浄の洗浄位置を変更することができる。
【００４１】
また、この局部洗浄装置付き便器は、図８に示すように、便座２０及び便蓋３０が起立状態で、ケーシング６０が下降位置、つまり、洗浄ノズル４０のノズル部４１が第１状態において、洗浄ノズル４０のノズル部４１をケーシング６０から略水平方向に進出させることができる。つまり、この局部洗浄装置付き便器は、洗浄ノズル４０のノズル部４１をケーシング６０から略水平方向に進出させ、平面視において、便鉢部１１内に配置することができるため、この状態で、ノズル部４１を容易に洗浄することができる。
【００４２】
本発明は上記記述及び図面によって説明した実施例に限定されるものではなく、例えば次のような実施例も本発明の技術的範囲に含まれる。
（１）実施例では、ケーシングが軸部を中心に回動してノズル部を第１状態と第２状態とに変位させたが、ケーシングをリンク機構等によって移動し、ノズル部を第１状態と第２状態とに変位させてもよい。
（２）実施例では、ケーシングの上面部の上面が便座の上面と略面一であったが、ケーシングの上面部の上面と便座の上面とは面一でなくてもよい。
（３）実施例では、ケーシングをケーシング用モーターによって回動させたが、便蓋用軸部にギヤによって連結し、ケーシングを軸部を中心に回動するようにしてもよい。
（４）実施例では、便蓋が倒伏状態と起立状態との間で回動することに連動してケーシングが下降位置と第１上昇位置とに回動したが、ケーシングは便蓋の回動に連動して回動しなくてもよい。
（５）実施例では、ノズル部が第３状態に位置するようにケーシングが回動したが、ケーシングはノズル部が第２状態よりも急傾斜に傾斜するようになるまで回動しなくてもよい。
（６）実施例では、ノズル部が第２状態において、ノズル部の傾斜角度を変更するために設定範囲内で軸部を中心にしてケーシングが回動することができたが、ノズル部が第２状態においてケーシングが回動しなくてもよい。
（７）実施例では、ノズル部が第２状態において、洗浄ノズルの本体部から進出するノズル部の進出長さを変更することができたが、洗浄ノズルの本体部から進出するノズル部の進出長さが変更できなくてもよい。
（８）実施例では、ノズル部は、第１状態において、ノズル部をケーシングから略水平方向に進出させることができたが、洗浄ノズルは、第１状態において、ノズル部をケーシングから進出しなくてもよい。
（９）実施例では、便座用軸部、便蓋用軸部、及びケーシングの軸部が別々の位置に配置されていたが、これら各軸部の少なくとも２つが同軸上に位置するように配置してもよい。
（１０）実施例では、倒伏状態の便蓋がケーシングを覆ったが、倒伏状態の便蓋がケーシングの上方を覆わなくてもよい。この場合、倒伏状態の便蓋がケーシングの上方を開放するように便蓋の後部に切欠き部を設けてもよい。
（１１）実施例では、便器本体の便器排水路と排水接続管によってＳトラップを形成し床面に引き出された排水管に洗浄水を排水するようにしたが、便器本体の便器排水路と排水接続管によってＰトラップを形成し、壁面に引き出される排水管に洗浄水を排水するようにしてもよい。
【符号の説明】
【００４３】
１０…便器本体
１１…便鉢部
１２…（便鉢部の）上端部
２０…便座
３０…便蓋
４０…洗浄ノズル
４１…ノズル部
４２…本体部
６０…ケーシング
７０…移動装置（６５…軸部、６６…ケーシング用モーター、６７…駆動ベルト）
【図１】
2014163153.tif 000003
【図２】
2014163153.tif 000004
【図３】
2014163153.tif 000005
【図４】
2014163153.tif 000006
【図５】
2014163153.tif 000007
【図６】
2014163153.tif 000008
【図７】
2014163153.tif 000009
【図８】
2014163153.tif 000010
【図９】
2014163153.tif 000011